(57)【要約】      （修正有）【課題】  大判プリンタ等でロール紙をカットして収納する記録媒体収容装置において、巻き取り装置使用時に記録媒体を収容するためのシート材を外す為に前ロッドを外すと回動ロットがその場に残るのを防ぐ。【解決手段】  排紙ガイドに案内され降下してくる記録媒体を収容するシート材を備えた記録媒体収容装置において、前記シート材は回動可能な回動ロットと、回動ロッドに支持された前ロッドで保持されており、前記回動ロッドは使用時には排紙ガイドの斜め前下方で前ロッドを支持する位置でロックされているが、前ロッドを取り外すとロックが外れて下に倒れる。【選択図】  図２
2007314338.tif 000002
【特許請求の範囲】
【請求項１】
記録媒体に画像を形成し、所定方向に延びる排紙口から記録媒体を排出する画像形成装置における、前記排紙口から排出されて排紙ガイドに案内され降下してくる記録媒体を収容するシート材を備えた記録媒体収容装置において、前記シート材は回動可能な回動ロットと、回動ロッドに支持された前ロッドで保持されており、前記回動ロッドは使用時には排紙ガイドの斜め前下方で前ロッドを支持する位置でロックされているが、前ロッドを取り外すとロックが外れて下に倒れることを特徴とする記録媒体収容装置。
【請求項２】
前記回動ロッドは中空で、内部には前記回動ロッドの長手方向に移動する軸が設けられており、前ロッド装着時には前記軸は回動ロッド後端より出っ張り、前記回動ロッドの回転中心である固定部材に引っかかり一定の角度で支持され、前記前ロッドを外すと前記軸は回動ロッドの後端より引っ込み固定部材から外れることを特徴とする請求項1記載の記録媒体収容装置。
【請求項３】
前記回動ロッドは回動中心で左右が連結されていることを特徴とする請求項1記載の記録媒体収容装置。
【発明の詳細な説明】
【技術分野】
【０００１】
本発明は、プリンタやプリンタなどの画像形成装置から排出される記録媒体を収容する記録媒体収容装置に関し、特に、大判（Ａ０サイズやＢ０サイズなど）の記録媒体を収容するのに好適な記録媒体収容装置に関する。
【背景技術】
【０００２】
コンピュータやワークステーションの出力装置として、所定の搬送方向に搬送される記録紙などの記録媒体にインクを吐出して画像を形成するインクジェット方式画像形成装置が知られている。このインクジェット方式画像形成装置は、通常、インクを吐出する複数のインク吐出口が形成されたインク吐出面を有する印字ヘッド、この印字ヘッドを搭載して所定の主走査方向に往復動するキャリッジを備えている。更に、この主走査方向に直交する副走査方向（上記した所定の搬送方向と同じ方向）に記録紙を搬送する搬送装置を備えている。
【０００３】
記録紙に画像を形成する際は、搬送装置で搬送中の記録紙を一時的に停止させ、キャリッジを上記の主走査方向に往復動させながら、画像情報を担持した画像信号に基づいてインク吐出口からインクを吐出する。そして、記録紙のインク吐出口に向き合う画像形成領域に位置する部分に１バンド分の画像を形成する。その後、紙を１バンド分の幅だけ搬送して再び停止させ、キャリッジを主走査方向に往復動させながら、画像信号に基づいてインク吐出口からインクを吐出し、記録紙の画像形成領域に新たに位置する部分に画像を形成する。このような動作を繰り返すことにより記録紙の全面に画像を形成する。
【０００４】
上記したインクジェット方式画像形成装置には、例えば特開２００１−００２３０７のように画像が形成された記録媒体を排出するための排紙口が形成されている。排紙口の下方には、通常、この排紙口から排出された記録媒体が収容される記録媒体収容装置が配置されている。
【０００５】
図９を参照して、従来の記録媒体収容装置について説明する。図９は、従来の記録媒体収容装置が取り付けられたインクジェット方式画像形成装置を示す斜視図である。
【０００６】
プリンタ１０などの画像形成装置がスタンド５０の上部に固定されている。プリンタ１０には、セットがし易いように前側にロール状の記録媒体１６がセットされ、画像が形成された記録媒体が排出される排紙口１２が形成されている。排紙口１２から排出された記録媒体は排紙ガイド１４に案内されて降下し、排紙口１２の下方に配置された記録媒体収容装置３０に収容される。
【０００７】
記録媒体収容装置３０は回動ロッド３２に支持された前アーム３１と後アーム３２で保持されたシート材３３で成っていて、袋形状をしている。
【０００８】
排紙口１２から排出された記録媒体は、排紙ガイド１４に案内されて記録媒体収容装置３０に到達する。記録媒体収容装置３０に入り込んだ記録媒体は、シート材３４に沿って進んでいき、画像形成が終わった後、図示していないカッターで記録媒体後端を切断する。
【０００９】
また、ロール紙を切断せず連続して印刷する時を図８を用いて説明する。図８は右側面図であり、説明に不要な部分は不図示にしている。巻き取り装置４０を使用する時は印刷する前に、予め記録媒体Ｓを一定距離排出しておき、巻き取り装置４０に固定された紙管４１に記録媒体Ｓの先端を固定する。この時に、巻き取られる記録媒体Ｓにテンションを持たせる為にウェイト４２をセットする。そして、印刷が始まると、記録媒体Ｓが押し出されて、ウェイト４２が降下する。すると、巻き取りセンサー４３がウェイト４２の下端を検知し、巻き取り装置４０が矢印方向に回転し記録媒体Ｓはウェイト４２の下端がセンサーを切るまで巻き取られる。
【特許文献１】特開２００１−００２３０７号公報（図１１）
【発明の開示】
【発明が解決しようとする課題】
【００１０】
巻き取り装置を使用する時は、シート材を取り外す為に前ロッドを取り外さなければならないが、回動ロッドから前ロッドを取り外すと、回動ロッドがスタンドから手前に突き出る形で残ってしまう。この状態で巻き取り装置を操作すると、顔付近に回動ロッドが来る為、接触しないように注意が必要であった。
【００１１】
また、左右の回動ロッドが連動している場合だと、回動ロッドを収納する場合、左右同時にロック機構を外さなければならなく、大判プリンタの場合幅が広いので1人で行うのは困難であった。
【課題を解決するための手段】
【００１２】
そこで本発明では、回動ロッドから前ロッドを外したら回動ロッドがその場に残らないように、以下の記録媒体収容装置を提案する。
【００１３】
記録媒体に画像を形成し、所定方向に延びる排紙口から記録媒体を排出する画像形成装置における、前記排紙口から排出されて排紙ガイドに案内され降下してくる記録媒体を収容するシート材を備えた記録媒体収容装置において、シート材は回動可能な回動ロットと、回動ロッドにスナップ嵌めにより保持された前ロッドと、シート材後方を保持する後ろロッドによって排紙ガイドの斜め下方で保持されており、回動ロッドは使用時には排紙ガイドの斜め前下方で前ロッドを支持する位置でロックされているが、前ロッドを取り外すとロックが外れて下に倒れ、後方にスライドすることにより、本体下方部に回動ロッドを収納できることを特徴とする記録媒体収容装置。
【００１４】
また、回動ロッドは中空で、内部には回動ロッドの長手方向に移動する軸が設けられており、前ロッド装着時には軸は回動ロッド後端より出っ張り、回動ロッドの回転中心である固定部材に軸引っかかり一定の角度で支持され、前ロッドを外すと軸は回動ロッドの後端より引っ込み固定部材から外れることを特徴とする。
【００１５】
また、回動ロッドは回動中心で左右が連結されていることを特徴とする。
【発明の効果】
【００１６】
本発明により、巻き取り装置使用時に前ロッドを取り外すと、回動ロッドは下方に倒れるので、収納し忘れても安全である。
【００１７】
また、左右の回動ロッドが回動中心で連結されている場合でも、前ロッドを左右の回動ロッドのロックが同時に外れるため収納が容易である。
【発明を実施するための最良の形態】
【００１８】
（実施例１）
以下、図面を参照して本発明の記録媒体収容装置の実施の形態を説明する。
【００１９】
図１は本実施例の記録媒体収容装置が取り付けられたプリンタの斜視図である。
【００２０】
スタンド５０の上部にはプリンタ１０などの画像形成装置が固定されている。プリンタ１０には、このプリンタ１０を操作するための操作部１７を備えており、この操作部１７に設置された各種のスイッチ等により、紙サイズ、オンライン／オフライン、コマンドなどが指示される。プリンタ１０の内部には、インクを吐出する複数のインク吐出口が形成された印字ヘッドと、この印字ヘッドを搭載して主走査方向に往復動するキャリッジとが備えられている。印字ヘッドにより画像の形成された部分は排紙口１２を通って排紙ガイド１４に案内されて降下し、排紙口１２の下方に配置された記録媒体収容装置６０に収容される。排紙ガイド１４には排出された記録媒体が巻き癖によりプリンタ１０内部に入り込むのを防止する排紙アシスト部材１５を備えている。また、ロール状の記録媒体を印刷後、切断せずに紙管に巻き取る巻き取り装置４０と巻き取りセンサー４３はスタンド５０に装備されている。
【００２１】
また、記録媒体収容装置６０は布等のシート材６５とシート材６５を保持している前ロッド６２と後ろロッド固定部材６６に固定されている後ろロッド６３、前ロッド６２を回動可能に支持している回動ロッド６１と回動部７０で成り立っている。
【００２２】
回動部７０の詳細を図２を用いて説明する。回動ロッド６１はロッド固定部材７２内で矢印Ａ方向にスライド可能であり、ロッド固定部材７２は回転ロッド６４を中心に矢印B方向に回転する。また、回転ロッド６４は、図１に示すように左右の回動部７０を連結している為、左右の回動ロッド６１は連動して動くことが可能である。
【００２３】
７１は回動ロッド６１の位置を決めるガイド部材である。図２は記録媒体収容装置６０使用時のポジションでガイド部材７１の突起７１Ａに回動ロッド６１の内部に設けられた軸７３が突き当たることにより、回動ロッド６１の位置が規制されている。
【００２４】
ここで、軸７３の動作を図３を用いて説明する。図３は回動ロッド６１の断面図である。軸７３には止め輪７６が設けられており、止め輪７６と回動ロッド後端のキャップ７５の間に圧縮バネ７４が設けられている。前ロッド６２が取り付けられていない状態では、軸７３は圧縮バネ７４により矢印D方向に押されて、図5のように回動ロッド６１の先端に設けられたジョイント部６１Ａより出っ張る状態になる。図４のように前ロッド６２がジョイント部６１Ａのスナップ嵌めに嵌められている時は、ジョイント部６１Ａより出っ張っていた軸７３は図３の矢印Ｃ方向に押されてキャップ７５より出っ張る状態になる。
【００２５】
前ロッド６２をジョイント部６１Ａより外すと軸７３は圧縮バネ７４により矢印Ｄ方向に持ち上げられる。すると、図２の突起７１Ａに突き当たっていた軸７３が外れ、回動ロッド６１は矢印Ｂの反時計方向に回動し、図６の状態になる。この状態は、回動ロッドが倒れた状態なので、巻き取り装置操作時に顔付近に回動ロッドが来ないので、危険性は無い。また、この構成は左右の回動ロッドが連動して動く構成に特に有効である。
【００２６】
巻き取り装置４０を使用するときは左右の回動ロッドを矢印Ｅ方向にスライドさせ、回動ロッド６１から取り外した前ロッド６２にシート材６５を巻きつけて、巻き取りセンサー４３より奥に収納する。
【００２７】
この状態で巻き取り装置４０を使用した図を図７に示す。記録媒体収容装置６０の前ロッド６２、回動ロッド６１、シート材６５が共に巻き取りセンサー４３、ウェイト４２より後方に有る為、記録媒体収容装置６０を取り外すことなく巻き取り装置４０は不具合無く使用できる。
【図面の簡単な説明】
【００２８】
【図１】記録媒体収納装置を備えたプリンタの斜視図である。
【図２】回動部の構成を示す図である。
【図３】回転ロッドの構成を示す図である。
【図４】回動ロッドと前ロッドの接続を説明する斜視図である。
【図５】前ロッドを外した時の回動ロッド先端を示す図である。
【図６】回動ロッドの収納手順を説明する図である。
【図７】巻き取り装置使用時に記録媒体収容装置を収納した斜視図である。
【図８】巻き取り装置使用時のプリンタを示す側面図である
【図９】従来の記録媒体収容装置が取り付けられたプリンタを示す斜視図である。
【符号の説明】
【００２９】
１０  プリンタ
４０  巻き取り装置
５０  スタンド
６０  記録媒体収容装置
７０  記録媒体収容装置回動部
【図１】
2007314338.tif 000003
【図２】
2007314338.tif 000004
【図３】
2007314338.tif 000005
【図４】
2007314338.tif 000006
【図５】
2007314338.tif 000007
【図６】
2007314338.tif 000008
【図７】
2007314338.tif 000009
【図８】
2007314338.tif 000010
【図９】
2007314338.tif 000011